(57)【要約】【課題】ピアノ線の挿入防止効果を広い領域で発揮でき、かつ汎用性高く低コストで実現でき、更にピアノ線挿入防止機能への破壊行為に対する防禦効果の高いパチンコ機の不正防止構造を提供する。【解決手段】外枠１２に取り付けられ、遊技領域４０が形成された遊技盤３２が装着される内枠１４と、内枠１４に軸支され、内枠１４の遊技盤３２の装着領域を開閉自在とする前枠２０とを備えるパチンコ機において、横断面がコ字状の部分を有する前枠側枠状障壁材７１及び内枠側枠状障壁材７２を備える。前枠２０の閉成時に、前枠側枠状障壁材７１のコ字状部分の一対の対向片のうちの一片が内枠側枠状障壁材７２のコ字状部分の開口内に入り込んだ状態で、両枠状障壁材７１，７２が重なり合って、前枠２０、内枠１４間の隙間を上下方向全範囲に亘って覆う障壁を形成する構造とした。単純な形状の枠状障壁材２本で広範囲で強固なピアノ線挿入防止機能を達成した。【選択図】図３
2008289778.tif 000002
【特許請求の範囲】
【請求項１】
外枠に取り付けられ、遊技領域が形成された遊技盤が装着される内枠と、この内枠の前記遊技盤の装着領域を開閉自在に側端部が軸支された前枠とを備えるパチンコ機において、
前記前枠の閉成時に重なり合って、前記前枠の軸支側端部とこの軸支側端部に隣接する前記内枠の側端部との隙間を、その内側から上下方向全範囲に亘って覆う障壁を形成する、所定の強度を有する枠状障壁材を、前記前枠の軸支側端部及び前記内枠の側端部の各々に設けることを特徴とするパチンコ機の不正防止構造。
【請求項２】
各々横断面がコ字状の部分を有して形成された前枠側枠状障壁材と内枠側枠状障壁材とを備え、前記前枠の閉成時に、前記前枠側枠状障壁材のコ字状部分の対向片のうちのいずれか一片が前記内枠側枠状障壁材のコ字状部分の開口内に入り込んだ状態で、両枠状障壁材が重なり合って前記障壁を形成することを特徴とする請求項１に記載のパチンコ機の不正防止構造。
【発明の詳細な説明】
【技術分野】
【０００１】
本発明は、主としてピアノ線等の針金を用いた不正行為を防止するパチンコ機の不正防止構造に関するものである。
【背景技術】
【０００２】
パチンコ機の前枠（ガラス枠）と内枠との隙間からピアノ線等の不正行為実行具を挿入して遊技球を入賞口に導くようにする不正行為を防止する技術として、従来、特許文献１に記載の発明がある。
これは、遊技盤面に備えられる内レールの側面に取り付けられた不正防止部材の、軟質材からなる不正防止片をガラス面に密着させるというものである。
【特許文献１】特開平８−１６４２４８号公報
【発明の開示】
【発明が解決しようとする課題】
【０００３】
しかしながら上記従来技術では、軟質材からなる不正防止片がガラス面と密着して上記隙間からの不正行為実行具の挿入を確実に防止できるという利点があるものの、その不正行為実行具の挿入防止機能は、内レールの、不正防止部材が取り付けられた範囲、つまり最大、内レールの配置されている領域に限って働くというものであった。
一方、最近は遊技領域に設けられる図柄表示装置の大型化に伴って遊技盤も大型化し、したがって前枠も同様に大型化してきている。このため、前枠の軸支間隔（ヒンジ間隔）が長くなって上記隙間も長くなり、不正行為がし易くなってきており、その対処が必要とされていた。
加えて上記従来技術では、不正防止片を内レールの側面に取り付ける関係上、機種対応になって汎用性が低く、またその構成、組付けに掛かるコストも少なくなく、従来、これらの点についての改善が課題とされていた。
【０００４】
本発明は、上記のような課題に鑑みなされたもので、不正行為実行具の挿入防止機能が内レールの配置領域のみに限られず、より広い領域について働き、しかも低コストで実現できて修理も簡単に行い得、加えて不正行為実行具の挿入防止機能への破壊行為に対する防禦効果の高いパチンコ機の不正防止構造を提供することを目的とする。
【課題を解決するための手段】
【０００５】
上記課題を解決するための手段を以下に述べる。
各手段は、項に区分し、各項に番号を付し、必要に応じて他の項の番号を引用する形式で記載する。これは、本発明の理解を容易にするためであって、本明細書に記載の技術的特徴が以下の各項に記載のものに限定されるものではない。
以下の各手段のうち、（１）項が請求項１に、（２）項が請求項２に、各々対応する。なお、各手段においては、必要に応じてその作用等についても述べる。
【０００６】
（１）外枠に取り付けられ、遊技領域が形成された遊技盤が装着される内枠と、この内枠の前記遊技盤の装着領域を開閉自在に側端部が軸支された前枠とを備えるパチンコ機において、前記前枠の閉成時に重なり合って、前記前枠の軸支側端部とこの軸支側端部に隣接する前記内枠の側端部との隙間を、その内側から上下方向全範囲に亘って覆う障壁を形成する、所定の強度を有する枠状障壁材を、前記前枠の軸支側端部及び前記内枠の側端部の各々に設けることを特徴とするパチンコ機の不正防止構造。
枠状障壁材は、所定の強度を有していればその材質を問わないが、基本的には鉄材等、金属材（枠状障壁金具）を用いてなる。
所定の強度とは、重なり合って障壁を形成した場合に、バール等を用いた「こじ開け（曲げ）」で容易に曲げられない程度の強度、特に剛性を指す。
各枠状障壁材は、全体を１本で形成することが好ましいが、複数本に分割形成してもよい。
（２）各々横断面がコ字状の部分を有して形成された前枠側枠状障壁材と内枠側枠状障壁材とを備え、前記前枠の閉成時に、前記前枠側枠状障壁材のコ字状部分の対向片のうちのいずれか一片が前記内枠側枠状障壁材のコ字状部分の開口内に入り込んだ状態で、両枠状障壁材が重なり合って前記障壁を形成することを特徴とする（１）項に記載のパチンコ機の不正防止構造。
障壁を、コ字状の前枠側枠状障壁材と内枠側枠状障壁材とで形成すれば、不正行為実行具を、この障壁部分を通して遊技領域に進入させることはほぼ不可能となり、また、バール等を用いた「こじ開け（曲げ）」に対する強度は著しく増大する。
なおコ字状とは、ほぼコ字状を含むことは勿論である。
【発明の効果】
【０００７】
（１）項に記載の発明では、前枠の閉成時に重なり合って、前枠の軸支側端部と内枠の側端部との隙間（軸支側隙間）をその内側から上下方向全範囲に亘って覆う、所定強度の枠状障壁材を、前枠の軸支側端部及び内枠の側端部の各々に設けた。つまり、不正行為実行具が軸支側隙間の外側から遊技領域内に進入しようとする場合に、その最前線で、かつ最大限の領域に亘って障壁となるように枠状障壁材を機能させるもので、従来技術に比べて有効かつ広範囲に、不正行為実行具の挿入防止効果を発揮できる。
また枠状障壁材は、基本的には帯状等の単純な形状に形成されるものであり、そして、その枠状障壁材を前枠、内枠に固着すればよいので、上記不正防止構造を汎用性高く、かつ低コストで実現でき、更にその修理（付け替え等）も容易に行える。
更に、枠状障壁材は、前枠の閉成時に２つが重なり合って障壁を形成するので強度が増す。したがって、不正行為実行具の挿入防止機能への破壊行為、具体的には、不正行為実行具を挿入するために、前記軸支側隙間にバール先端を挿入して行われる「こじ開け（曲げ）」等に対する防禦効果が増す。
（２）項に記載の発明によれば、不正行為実行具の挿入防止効果を最大限、発揮でき、また、不正行為実行具の挿入防止機能への破壊行為に対する防禦効果をより高めることができる。
【発明を実施するための最良の形態】
【０００８】
以下、本発明の実施の形態を図面に基づき説明する。なお、各図間において、同一符号は同一又は相当部分を示す。
図１は、本発明による不正防止構造が適用されたパチンコ機の一実施形態を示す正面図、図２は同上パチンコ機の内枠及び前枠を開いた状態の概略を示す斜視図である。
これらの図において、１２は島と呼ばれるパチンコ機設置場所への取り付けに用いられる外枠２である。
この外枠１２の前面側には、窓部（後述する遊技盤の装着領域）を有するほぼ額縁状の内枠１４が、その図中左側部上下が外枠１２の左側部上下において各々軸支され、その右側を開閉自在に取り付けられている。
【０００９】
また、内枠１４の前面側には、前枠２０が、その図１における左側部（図２においては右側部）上下が内枠１４の左側部上下にて各々軸支され、その右側（図２においては左側）を開閉自在に取り付けられている。この前枠２０には、透光性を有する板体（透光板）が装着された透光板フレーム、通常、透明ガラス板１６が装着されたガラス板フレーム１８が取り付けられている。
前枠２０と内枠１４とは、内枠１４の右側部下方に設けられた施錠装置（シリンダ錠）２２によって施錠可能とされている。
【００１０】
前枠２０の下方には、賞球払出装置（図示せず）から賞球払出口２３を通して払い出された賞球や貸球を貯留して球発射装置（図示せず）へと誘導する球皿部２４を備える皿ユニット２６が、その左側部にて内枠１４に開閉自在に取付けられている。皿ユニット２６の前面下部には、左側に灰皿２８が、右側に発射ハンドル３０が取り付けられている。発射ハンドル３０は、上記球発射装置から遊技球の発射を行わせ、また発射強度を操作するためのハンドルである。
【００１１】
内枠１４の窓部には、この窓部を塞ぐように遊技盤３２が装着される。本実施形態では、遊技盤３２は窓部に着脱自在（交換可能）に装着される。
遊技盤３２は、ベニヤ板３３の表面に合成樹脂からなるシート状のセル３４が貼着されてなり、盤面３２ａには、外レール３６及び内レール３７とレール飾り３８、３９とで囲まれたほぼ円形状の遊技領域４０が形成されている。
【００１２】
遊技領域４０には、図柄表示装置４２や大入賞口４４、始動入賞口４６や一般入賞口４８、風車５０、あるいはサイド飾り５２ａ、５２ｂ等の遊技領域構成部材が設けられている。遊技領域構成部材としては、他に、遊技領域４０の最下位置にアウト口５４が配設されていると共に、多数の遊技釘（図示せず）が打ち込まれている。
盤面３２ａの少なくとも遊技領域４０は、前枠２０が内枠１４に閉じられた時、前枠２０の正面側（パチンコ機正面側）から透明ガラス板１６を通して透視可能である。
【００１３】
前枠２０は、その前面に、半透明の樹脂板で表面を覆った装飾６１を、透明ガラス板１６の周囲を囲む位置において前方（遊技者側）に大きくせり出した状態で備えている。装飾６１内には、遊技の効果音（合成音声を含む）を出力するスピーカ６２が配設され、また、３色ＬＥＤ等のランプ（図示せず）が複数箇所に配設されている。
【００１４】
なお、本実施形態のパチンコ機は、球発射装置を遊技盤３２の左側下方に配置して遊技球を上方に発射する機種である。この球発射装置へは、皿ユニット２６の球皿部２４に貯留された遊技球が一列に整列されて１個ずつ供給される。球発射装置へ供給された遊技球は、遊技者による発射ハンドル３０の時計回り方向の回動操作によって球発射装置から打ち出され、レール３６、３７に案内されて遊技領域４０内に送り込まれる。
遊技領域４０内に送り込まれた遊技球は、その遊技領域４０内において遊技釘、風車５０等の障害物に衝突しながら流下し、その途中において一般入賞口４８、始動入賞口４６あるいは大入賞口４４に入賞し、入賞しなかった遊技球は最終的にアウト口５４から回収される。
【００１５】
遊技球の入賞が、一般入賞口４８や始動入賞口４６か、あるいは大入賞口４４かによって球皿部２４に払い出される賞球数が異なる。例えば、一般入賞口４８や始動入賞口４６に入賞すれば５個、大入賞口４４に入賞すれば１５個というように設定されており、払い出される賞球数は大入賞口４４に入賞する方が多い。
【００１６】
遊技球が始動入賞口４６に入賞すると、図柄表示装置４２は図柄の変動表示を開始する。変動開始後、所定時間が経過して停止したときの図柄（停止図柄）が大当たりであれば、大入賞口４４を開放させる。大入賞口４４は開口幅が広く、また所定の条件を満たせば最高１５回までというように、複数回繰り返されるので、この間に得られる賞球数は大当たりにならなかった場合に比べて著しく多くなる。
【００１７】
大当たりとなる前提条件は遊技球が始動入賞口４６に入賞することであるので、この始動入賞口４６への入賞が不正行為のターゲットとされることが多い。また不正行為は、不正行為実行具を遊技領域４０内に進入させて行うことから、その不正行為実行具の挿入は、内枠１４と前枠２０との隙間から行われる。この隙間は、前枠２０を正面視したとき、つまり図１において、その前枠２０の上下側及び左右側に各々生じるが、このうち上側隙間からの不正行為実行具の挿入作業は難しい上に目立ち、また下側隙間あるいは右側隙間からの挿入作業はその部分のパチンコ機構造上、難しい。したがって、不正行為実行具の挿入は前枠２０の左側（軸支側）の隙間８０から行われることが多く、この隙間８０に最も近い一般入賞口４８への入賞も不正行為のターゲットとされることが多い。
【００１８】
このようなパチンコ機における不正行為防止のための構造（不正防止構造）の実施形態を以下に詳細に説明する。
図２中の斜線部７０は、ピアノ線等の不正行為実行具の進入を阻止する枠状障壁材の配置位置を示し、図３は本実施形態における枠状障壁材７１，７２の配設例を示す。
図３は、本実施形態を分かりやすくするために、前枠２０を内枠１４から外した状態で示しているが、実際には図２に示すように前枠２０は内枠１４に開閉自在に取り付けられている。なお、図３中の６０は、前枠２０の左側部（図３においては右側部）の上端面に突設され、前枠２０を上部において内枠１４に軸支するためのピンである。前枠２０の裏面に取り付けられたガラス板フレーム１８（透明ガラス板１６）は図示を省略してある。
【００１９】
図３に示すように、枠状障壁材７１，７２は、内枠１４と前枠２０との隙間のうちの前枠２０の左側、つまり前枠２０、内枠１４の軸支側端部間の隙間８０（図２参照。以下この隙間を軸支側隙間と記す）に対応する位置に配設されている。
具体的には、枠状障壁材７１は前枠裏面の軸支側端部（正面から見て左側端部、図２，図３においては右側端部）に固着されている。また枠状障壁材７２は、内枠１４の左側端部、詳しくは内枠１４の左端に形成された障壁材取付板部１４ａの内面に固着されている。障壁材取付板部１４ａの強度が小さい場合は、障壁材取付板部１４ａの内面に位置決めされ、連結具（図示せず）を介して内枠正面の左側端部分に固着される。
これら枠状障壁材７１，７２の長さＬ１は、上記軸支側隙間の全長以上の長さ、本実施形態では全長にほぼ等しい長さを有する。
【００２０】
枠状障壁材７１，７２は、詳細を後述するように、前枠２０の閉成時に重なり合って、上記軸支側隙間をその内側から上下方向全範囲に亘って覆う障壁を形成するもので、以下、これらについて図４及び図５を参照して説明する。
図４は前枠側の枠状障壁材（以下、前枠側枠状障壁材と記す）７１を、図５は内枠１４側の枠状障壁材（以下、内枠側枠状障壁材と記す）７２を示す。
前枠側枠状障壁材７１及び内枠側枠状障壁材７２は、いずれも横断面がほぼコ字状の部分（コ字状部分）を有して形成されている。
これら前枠側枠状障壁材７１及び内枠側枠状障壁材７２は、後述するように、前枠２０（図３参照）の閉成時に、前枠側枠状障壁材７１のコ字状部分の一対の対向片のうちのいずれか一片が内枠側枠状障壁材７２のコ字状部分の開口内に入り込んだ状態で、両枠状障壁材７１，７２が重なり合って上記障壁を形成する。
【００２１】
なお、図５に示すように、内枠側枠状障壁材７２は、コ字状部分の底片（一対の対向片を連結する一片）に図示しないねじを螺入して内枠１４にねじ止めされる。図５中の丸印５１はねじ止め位置を示す。
前枠側枠状障壁材７１は、上記内枠側枠状障壁材７２と同様の位置で前枠２０にねじ止めすることはできない。前枠側枠状障壁材７１のコ字状部分の開口の向きが上記障壁を形成するためには適正でなくなるからである。
そこで本実施形態では、図４に示すように、前枠側枠状障壁材７１を、横断面がほぼクランク状の前枠側枠状障壁部材７１ａとＬ字状の前枠側枠状障壁部材７１ｂとを図示するように組み合わせて形成する。この構成によれば、クランク状の前枠側枠状障壁部材７１ａを前枠２０の裏面にねじ止め後、その前枠側枠状障壁部材７１ａにＬ字状の前枠側枠状障壁部材７１ｂをねじ止めすることにより、前枠側枠状障壁材７１の前枠裏面へのねじ止めがなされる。つまり、前枠側枠状障壁材７１の前枠裏面へのねじ止めを容易にする。図４中の丸印４１はねじ止め位置を示す。
【００２２】
前枠側枠状障壁材７１及び内枠側枠状障壁材７２は、不正行為実行具（ピアノ線等）が軸支側隙間の外側から遊技領域４０（図３参照）内に進入しようとした場合に、その最前線で障壁となるように機能するものである。また、この前枠側枠状障壁材７１及び内枠側枠状障壁材７２は、上記障壁を形成した場合に、軸支側隙間にバール先端を進入させて行われる、前枠軸支側端部の「こじ開け（曲げ）」に対しても防禦可能であることが要求される。したがって、これら前枠側枠状障壁材７１及び内枠側枠状障壁材７２は、不正行為実行具の突きや押し等の進入力に対して抗し得る、つまり破断ないし穿孔されることなく、また、上記「こじ開け（曲げ）」に対して防禦可能な、強度、特に剛性を有するようにその材質、厚さ等が選定されている。
なお本実施形態では、前枠側枠状障壁材７１及び内枠側枠状障壁材７２は、鉄材等の金属材からなり、また、上述したようにコ字状部分を有して形成されているので、余り厚くしなくてもその強度は大となる。
【００２３】
なお、図３に示す例では、前枠側枠状障壁材７１及び内枠側枠状障壁材７２は各々１本で軸支側隙間の上下方向全長を覆っているが、これらの一方又は両方を上下方向に複数本に分割し、全体で軸支側隙間の上下方向全長に亘って覆うようにしてもよい。
【００２４】
図６〜図１０は、前枠２０が内枠１４に対してほぼ９０°開いた状態（図６）から０°に閉じた状態（図１０）に至るまでの、内枠側枠状障壁材７２に対する前枠側枠状障壁材７１の位置、向きの各態様を上方から示した図である。なお、図７、図８及び図９は、前枠２０が内枠１４に対して、順に、ほぼ４５°、１５°及び５°開いた状態における態様を示す。各図中の矢印アは、前枠２０（前枠側枠状障壁材７１）の回動方向を示す。
図１０から分かるように、前枠２０の閉成時には、前枠側枠状障壁材７１のコ字状部分の一対の対向片のうちの一片、本実施形態では前枠側枠状障壁部材７１ｂが内枠側枠状障壁材７２のコ字状部分の開口内に入り込んだ状態となる。すなわち、前枠側枠状障壁材７１及び内枠側枠状障壁材７２が重なり合って障壁７３を形成した状態となる（図１１参照）。前枠側枠状障壁材７１及び内枠側枠状障壁材７２は、上述したように軸支側隙間の全長にほぼ等しい長さＬ１を有するので、障壁７３は、軸支側隙間の上下方向全範囲に亘って覆うことになる。
【００２５】
以上述べた実施形態によれば、不正行為実行具が軸支側隙間の外側から遊技領域４０（図３参照）内に進入しようとした場合に、その最前線で、かつ最大限の領域に亘って障壁７３（図１０，図１１参照）となるように前枠側枠状障壁材７１及び内枠側枠状障壁材７２を設けたので、不正行為実行具の挿入防止効果を、従来技術に比べて有効かつ広範囲に発揮できる。
また、前枠側枠状障壁材７１及び内枠側枠状障壁材７２は、単純な形状に形成され、前枠２０、内枠１４に固着するだけでよいので、不正防止構造を汎用性高く、かつ低コストで実現でき、更にその修理（付け替え等）も容易に行える。
また、前枠側枠状障壁材７１及び内枠側枠状障壁材７２は、前枠２０の閉成時にそれらが重なり合って障壁７３を形成するので強度が増す。したがって、不正行為実行具の挿入防止機能への破壊行為、具体的には軸支側隙間にバール先端を挿入して行われる「こじ開け（曲げ）」等に対する防禦効果が増す。
【図面の簡単な説明】
【００２６】
【図１】本発明による不正防止構造が適用されたパチンコ機の一実施形態を示す正面図である。
【図２】同上パチンコ機の内枠及び前枠を開いた状態の概略を示す斜視図である。
【図３】本発明による不正防止構造を構成する枠状障壁材の配設例を示す斜視図である。
【図４】図３中の前枠側枠状障壁材を取り出し、拡大して示す一部切断斜視図である。
【図５】図３中の内枠側枠状障壁材を取り出し、拡大して示す一部切断斜視図である。
【図６】内枠側枠状障壁材に対する前枠側枠状障壁材の位置、向きを前枠がほぼ９０°開いた状態において上方から示した図である。
【図７】同じく前枠側枠状障壁材の位置、向きを前枠がほぼ４５°開いた状態において上方から示した図である。
【図８】同じく前枠側枠状障壁材の位置、向きを前枠がほぼ１５°開いた状態において上方から示した図である。
【図９】同じく前枠側枠状障壁材の位置、向きを前枠がほぼ５°開いた状態において上方から示した図である。
【図１０】同じく前枠側枠状障壁材の位置、向きを前枠が０°に閉じた状態において上方から示した図である。
【図１１】前枠の閉成状態において障壁が形成された状態を示す斜視図である。
【符号の説明】
【００２７】
１２：外枠、１４：内枠、２０：前枠、３２：遊技盤、４０：遊技領域、７１：前枠側枠状障壁材、７２：内枠側枠状障壁材、７３：障壁。
【図１】
2008289778.tif 000003
【図２】
2008289778.tif 000004
【図３】
2008289778.tif 000005
【図４】
2008289778.tif 000006
【図５】
2008289778.tif 000007
【図６】
2008289778.tif 000008
【図７】
2008289778.tif 000009
【図８】
2008289778.tif 000010
【図９】
2008289778.tif 000011
【図１０】
2008289778.tif 000012
【図１１】
2008289778.tif 000013